(57)【要約】【課題】  トラックエラー信号に着目して光ピックアップを適切に評価する技術を提供する。【解決手段】  通常はレーザ光発光出力変更に対してゲイン変更が実施されるので、記録発光時でもトラックエラー信号振幅の変化は比較的に小さいが、中にはゲイン変更で追従させることのできない不具合を持つ光ピックアップが存在する。そのような光ピックアップは、信号Ａがハイレベルである記録発光時にトラックエラー信号Ｂの振幅が大きく変化してしまう。このことから、トラックエラー信号Ｂの振幅に対して適切と判断できる範囲を設定し、その範囲を超えたか否かにより光ピックアップの評価を行う。【選択図】  図４
2005071483.tif 000002
【特許請求の範囲】
【請求項１】
光ディスクにアクセスする光ディスク装置に搭載される光ピックアップの評価を行う光ピックアップ評価装置において、
前記光ディスクからの情報の読み取り、或いは書き込みのために前記光ピックアップが有する光源を駆動する光源駆動手段と、
前記光源駆動手段が光源駆動時に前記光ピックアップが有するアクチュエータを駆動するアクチュエータ駆動手段と、
前記光源駆動手段が情報の読み取り、及び書き込みのために前記光源を駆動した際にそれぞれ得られるトラックエラー信号を基に前記光ピックアップを評価する評価手段と、
を具備することを特徴とする光ピックアップ評価装置。
【請求項２】
前記評価手段は、前記情報の読み取りの際、及び書き込みの際にそれぞれ得られるトラックエラー信号の振幅、及び該トラックエラー信号のバランスの少なくとも一方を基に前記光ピックアップを評価することを特徴とする請求項１記載の光ピックアップ評価装置。
【請求項３】
光ディスクにアクセスする光ディスク装置に搭載される光ピックアップの評価を行うための方法であって、
前記光ディスクからの情報の読み取り、或いは書き込みのために前記光ピックアップが有する光源を駆動し、
前記光源駆動時に前記光ピックアップが有するアクチュエータを駆動し、
前記情報の読み取り、及び書き込みのために前記光源を駆動した際にそれぞれ得られるトラックエラー信号を基に前記光ピックアップを評価することを特徴とする光ピックアップ評価方法。
【請求項４】
光ディスクにアクセスする光ディスク装置に搭載される光ピックアップを製造するために用いられる方法であって、
前記光ディスクからの情報の読み取り、或いは書き込みのために前記光ピックアップが有する光源を駆動し、
前記光源駆動時に前記光ピックアップが有するアクチュエータを駆動し、
前記情報の読み取り、及び書き込みのために前記光源を駆動した際にそれぞれ得られるトラックエラー信号を基に前記光ピックアップを評価し、
該評価によって適切と確認された光ピックアップを前記光ディスク装置に搭載される光ピックアップとして製造することを特徴とする光ピックアップ製造方法。
【発明の詳細な説明】
【技術分野】
【０００１】
本発明は、光ディスクにアクセスする光ディスク装置に搭載される光ピックアップの評価を行うための技術に関する。
【背景技術】
【０００２】
現在、ＣＤ−ＲＯＭやＤＶＤ、及び光磁気ディスク等の光ディスクは広く社会に普及し、それを駆動する光ディスク装置は様々な装置に搭載されるようになっている。
光ディスク装置における光ピックアップは、主にＬＤ（レーザダイオード）を光源として発光を行い、コリメートレンズによる平行光の生成、対物レンズによる光ディスクへの集光を経て、該光ディスクからの反射光を受光素子で受光することにより再生信号を得るようになっている。この読み取り時に対物レンズ位置を所望の適切な位置に設定するためのものとして、永久磁石の極性とコイルへの導電時の発生磁界の極性により対物レンズを上下・左右動させるアクチュエータが用いられており、そのアクチュエータの適正な駆動のための信号を得るようになっている。
その適正なアクチュエータの駆動を行うため、発光光を回折格子により１つの主ビームと２つの副ビームに分割し、主ビームと副ビームの光ディスクからの反射光量及び光量バランスから演算された情報を基に、常に発光光が光ディスクの記録溝中央に集光するようにアクチュエータを制御する方式が主に用いられている。
近年の記録情報大容量化、高密度記録化、読み取り等のアクセスの高速化に対応するため、該光ピックアップに対する調整及び評価に対して精度の更なる向上が要求されてきている。
前述のアクチュエータ制御方式を実施する際、光ディスクとの距離を制御するフォーカス駆動と、光ディスク上のトラックに対して対物レンズ位置を制御するトラック駆動の２種類が行われる。光ピックアップは、それらの駆動を適切に行えるように取り付けられるが、特にトラック駆動について、次のような不具合が生じることがある。
読み取りを実施する際のＬＤの低出力時、例えば１ｍＷ程度の出力時については不具合は生じないが、記録を実施する例えば１０ｍＷ以上の高出力時において、トラックエラー信号の振幅が突然大きくなったり、或いは、該トラックエラー信号のバランスがずれるという現象が生じることがある。前者は回路上のゲイン設定によっても起こり得るが、後者はトラックに対して記録を実施することにより発生する特有の現象である。
【０００３】
通常、記録時には、前述の主ビームの出力のみが記録可能レベルとなりピットを生成するので、該ピットをなぞる主ビーム出力が比較的に大きく変化する場合があるが、副ビームは低出力レベルのために記録を実施しないので、出力の変化は比較的に小さい。このため、主ビームと副ビームの反射光量比率が所望の適切な値からずれ、主ビームと副ビームの反射光量の差分により生成されるトラックエラー信号のバランスがずれる場合があるためである。しかし、光ディスク装置に用いる光ピックアップとしては、記録時にトラックエラー信号のバランスがずれることは、トラックに対して記録するピット位置がずれることにもつながるため、結果的に記録品質の低下を招くこととなる。また、バランスのみでなく、トラックエラー信号振幅の変動もトラックサーボ制御に影響を与えるので管理が必要である。このようなことから、主ビームと副ビームの不適切な反射光量比率が所望の適切な値からずれ、主ビームと副ビームの差分により生成されるトラックエラー信号のバランスがずれる場合があるためである。しかし、光ディスク装置に用いる光ピックアップとしては、記録時にトラックエラー信号のバランスがずれることは、トラックに対して記録するピット位置がずれることにもつながるため、結果的に記録品質の低下を招くこととなる。また、バランスのみでなく、トラックエラー信号振幅の変動もトラックサーボ制御に影響を与えるので管理が必要である。このようなことから、光ピックアップを適切に評価するうえでは、トラックエラー信号に着目することも重要であると考えられる。
また、特開２００１−１１８２４７公報においては、情報記録中の半導体レーザからの光束を受光するモニタ受光素子と、前記モニタ受光素子からの出力波形により、情報記録の記録品質を把握する手段を備えた光情報記録再生装置が提案されており、これにより最適な記録が実施できるとされている。
【特許文献１】特開２００１−１１８２４７公報
【発明の開示】
【発明が解決しようとする課題】
【０００４】
しかし、特許文献１に開示されている従来例においては、半導体レーザが発光による自己温度変化により波長変動した場合、光束分離素子に進入したレーザの透過・反射率が変化することになるが、これによりモニタ受光素子への入射光量が適正であったとしても、該光束分離素子を反射した光量が過大・過小となる場合があり、この場合は第二受光素子の出力評価だけでは出射パワー制御が適切に実施できないといった問題がある。
本発明は、トラックエラー信号に着目して光ピックアップを適切に評価する技術を提供することを目的とする。
【課題を解決するための手段】
【０００５】
本発明の光ピックアップ評価装置は、光ディスクにアクセスする光ディスク装置に搭載される光ピックアップの評価を行うことを前提とし、光ディスクからの情報の読み取り、或いは書き込みのために光ピックアップが有する光源を駆動する光源駆動手段と、光源駆動手段が光源駆動時に光ピックアップが有するアクチュエータを駆動するアクチュエータ駆動手段と、光源駆動手段が情報の読み取り、及び書き込みのために光源を駆動した際にそれぞれ得られるトラックエラー信号を基に光ピックアップを評価する評価手段と、を具備する。
なお、上記評価手段は、情報の読み取りの際、及び書き込みの際にそれぞれ得られるトラックエラー信号の振幅、及び該トラックエラー信号のバランスの少なくとも一方を基に光ピックアップを評価することが望ましい。
本発明の光ピックアップ評価方法は、光ディスクにアクセスする光ディスク装置に搭載される光ピックアップの評価を行うための方法であって、光ディスクからの情報の読み取り、或いは書き込みのために光ピックアップが有する光源を駆動し、光源駆動時に光ピックアップが有するアクチュエータを駆動し、情報の読み取り、及び書き込みのために光源を駆動した際にそれぞれ得られるトラックエラー信号を基に光ピックアップを評価する。
本発明の光ピックアップ製造方法は、光ディスクにアクセスする光ディスク装置に搭載される光ピックアップを製造するために用いられる方法であって、光ディスクからの情報の読み取り、或いは書き込みのために光ピックアップが有する光源を駆動し、光源駆動時に光ピックアップが有するアクチュエータを駆動し、情報の読み取り、及び書き込みのために光源を駆動した際にそれぞれ得られるトラックエラー信号を基に光ピックアップを評価し、該評価によって適切と確認された光ピックアップを光ディスク装置に搭載される光ピックアップとして製造する。
【発明の効果】
【０００６】
本発明は、光ディスクからの情報の読み取り、或いは書き込みのために光ピックアップが有する光源を駆動し、光源駆動時に光ピックアップが有するアクチュエータを駆動し、情報の読み取り、及び書き込みのために光源を駆動した際にそれぞれ得られるトラックエラー信号を基に光ピックアップを評価する。
書き込み時では読み取り時よりも光源の光出力を大きくさせる。光源からの光を分割して得られる主ビームと副ビームの反射光量の差分により生成されるトラックエラー信号は、不具合を持つ光ピックアップでは、読み取り時から書き込み時に移行させると、その振幅が大きくなったり、或いはそのバランスがずれたりする。このことから、読み取り時、及び書き込み時にそれぞれ得られたトラックエラー信号により光ピックアップを適切に評価することができる。それにより、そのような評価方法を製造に適用した場合には、適切な光ピックアップを製造して光ディスク装置用に供給できるようになる。
【発明を実施するための最良の形態】
【０００７】
以下、図面を参照しながら本発明の実施例について詳細に説明する。
図１は、本実施例による光ピックアップ評価装置の構成を示す図である。
その評価装置が評価を行う光ピックアップ１は、ＬＤ（レーザダイオード）２と、それが射出したレーザ光を平行光にするコリメートレンズ３と、ミラー４と、ＬＤ２から射出されたレーザ光の一部を受光する受光素子５と、対物レンズ７を搭載したアクチュエータ６と、を備えて構成されている。
その光ピックアップ１の評価を行う評価装置は、ＬＤ２を駆動するＬＤ発光制御部１１と、アクチュエータ６を駆動するアクチュエータ制御部１２と、ＬＤ２からの信号、及びＬＤ発光制御部１１からの信号を入力し、アクチュエータ６の駆動制御用の信号を生成する信号生成・制御部１３と、装置全体の制御を行う本体制御部１４と、その本体制御部１４によって駆動されるスピンドルモータ１５と、その本体制御部１４が出力する情報を表示する表示装置１６と、を備えて構成されている。
この図１において、光ピックアップ１に搭載されたＬＤ２はＬＤ発光制御部１１により駆動されてレーザ光を射出する。このとき、本体制御部１４はスピンドルモータ１５を駆動して光ディスクＰＤを回転させている。
ＬＤ２からのレーザ光は、前方の受光素子５にその一部が受光されてＬＤ発光制御部１１にモニタされ、適正な発光出力となるよう、フィードバックが行われる。その一方、該レーザ光は、コリメートレンズ３により平行光とされ、ミラー４により光ディスクＰＤの記録面に向けて反射される。
反射光は対物レンズ７により、光ディスクＰＤの記録面に集光される。光ディスクＰＤの記録面で反射されたレーザ光は、往路と同じ経路をたどり、ＬＤ２へ導かれる。そのＬＤ２には戻り光を回折して不図示の受光素子に入射させるホログラムが設置されており、該受光素子からの信号を基に、信号生成・制御部１３はフォーカスエラー、トラックエラー、その他の信号を生成する。アクチュエータ制御部１２は、該フォーカスエラー、トラックエラー信号に基づき、対物レンズ７が搭載されたアクチュエータ７をサーボ制御し、レーザ光が適正な範囲に集光するようにフォーカス駆動、及びトラック駆動を行う。それにより、読み取り、或いは書き込み（記録）を適正に実施させる。
ここで、図２のように、ＤＶＤ−ＲやＣＤ−Ｒ等の光ディスクＰＤ内部にはトラック２０が存在し、主ビーム及び副ビームの３ビームで構成される前述のレーザ光１１によりトラックサーボが制御され、記録時にはトラック２０の中心に記録ピット２２が生成される。
図３はＬＤ２に対して駆動電流値を増加させた場合の出力の変化を説明するグラフである。
その図３から明らかなように、所定の電流値からレーザ光出力は線形的に増加する。例えば、その出力が５ｍＷを超える範囲は記録出力範囲と呼ばれる。
【０００８】
図４は、トラックエラー信号の時間変化例を説明する図である。図４中の「Ａ」は記録発光開始（記録出力範囲移行）時に変化するフラグの役割をする信号であり。Ｂはトラックエラー信号である。信号Ａがハイレベルのときが記録発光時である。
通常はレーザ光発光出力変更に対してゲイン変更が実施されるので、記録発光時でもトラックエラー信号振幅の変化は比較的に小さいが、中にはゲイン変更で追従させることのできない不具合を持つ光ピックアップ１が存在する。そのような不具合を持つ光ピックアップ１では、記録時にトラックエラー信号Ｂ振幅が大きく変化してしまう。これにより、トラックサーボが適切に制御しきれない場合が発生する。このことから、該トラックエラー信号Ｂ振幅に対して適切と判断できる範囲を設定し、その範囲を超えたか否かにより適切な評価を行うことができ、それによって不具合品を高精度に取り除くことができる。その範囲として、読み取り時（信号Ａがローレベル）から例えば絶対値で５０ｍＶ以上の振幅増加をＮＧとする範囲を設定した場合、極めて高い精度で不良品を取り除くことができた。
このことから、そのようにして不良品を取り除いた光ピックアップ１を光ディスク装置に搭載した場合には、その光ディスク装置は光ディスクＰＤの読み取りや情報記録を常に安定して適切に行えることとなる。それは、サーボ制御を常により高精度に行えるようになることを意味することから、記録情報大容量化、高密度記録化、読み取り等のアクセスの高速化にも大きく寄与することとなる。
図１の本体制御部１４は、読み取り時と記録時のトラックエラー信号Ｂをモニタし、その結果を表示装置１６に表示させる。その結果としては、例えば図４に示すような図と併せてトラックエラー信号Ｂの読み取り時と記録時の間の変化分を表示させる。それにより、評価対象とする光ピックアップ１が不良品か否かユーザが判断するための情報を通知する。
【０００９】
ところで、光ディスクＰＤには、例えばＤＶＤ−Ｒのように記録に対物レンズ７射出で１５〜２０ｍＷ程度の比較的に高いレーザ光発光出力が必要なものがある。そのような光ディスクＰＤ用の光ピックアップ１では、信号検出系を備えたＬＤ２が出力する信号から生成されるトラックエラー信号Ｂに対して、ＴＥバランス値の許容範囲を設定し、実際に得られたＴＥバランス値がその許容範囲内か否かにより不良品を特定するようにしても良い。そのようにした場合には、トラックエラー信号バランスが変動して記録ピットのトラック２０に対する位置ずれを起こすような光ピックアップ１を判別することができることから、記録品質が安定した光ピックアップ１のみを光ディスク装置に供給することができるようになる。
そのＴＥ（トラックエラー）バランス値としては、例えば図５のように、ＧＮＤレベルより上の振幅分ＴＥ＋、それより下の振幅分ＴＥ−とし、振幅分ＴＥ＋の絶対値から振幅分ＴＥ−の絶対値を引いた値を、それらの絶対値を加算した値で除算し、その除算結果に１００を掛けることで求めても良い。そのようにして求めたバランス値が±３０％を越えるものを不良品とした場合、極めて高い精度で不良品を取り除くことができた。
【図面の簡単な説明】
【００１０】
【図１】本実施例による光ピックアップ評価装置の構成を示す図である。
【図２】光ディスク内部に存在するトラック、及びそれに照射されるレーザ光を説明する図である。
【図３】ＬＤに対して駆動電流値を増加させた場合の出力の変化を説明するグラフ図である。
【図４】トラックエラー信号の時間変化例を説明する図である。
【図５】ＴＥバランス値による評価方法を説明する図である。
【符号の説明】
【００１１】
１  光ピックアップ、２  レーザダイオード（ＬＤ）、３  コリメートレンズ、４  ミラー、５  受光素子、６  アクチュエータ、７  対物レンズ、１１  ＬＤ発光制御部、１２  信号生成・制御部、１３  アクチュエータ制御部、１４  本体制御部、１５  スピンドルモータ、１６  表示装置
【図１】
2005071483.tif 000003
【図２】
2005071483.tif 000004
【図３】
2005071483.tif 000005
【図４】
2005071483.tif 000006
【図５】
2005071483.tif 000007